(57)【要約】【課題】待機電力をカットするための装置を別途設けることなく、待機電力に起因する消費電力の増加を抑制することが可能な放送受信機を提供する。【解決手段】この放送受信機（テレビジョン装置１）は、受信機本体部に電力を供給する電力供給部１０と、電力供給部１０に接続され、電力供給部１０から周辺機器３０に電力を供給するために周辺機器３０の電源プラグを接続することが可能な第１コンセント１０ａと、電力供給部１０と第１コンセント１０ａとを接続状態および切断状態にするための第１スイッチ１０ｃと、制御部７とを備えている。制御部７は、所定の設定情報に基づいて周辺機器３０に電力を供給する必要があるか否かを判断するとともに、周辺機器３０に電力を供給する必要がないと判断した場合には、電力供給部１０と第１コンセント１０ａとを切断状態にするように第１スイッチ１０ｃを制御するように構成されている。【選択図】図４
2010273235.tif 000002
【特許請求の範囲】
【請求項１】
放送信号受信部により受信した放送信号に基づいて映像信号を生成する受信機本体部と、
前記受信機本体部に電力を供給する電力供給部と、
前記電力供給部に接続され、前記電力供給部から周辺機器に電力を供給するために前記周辺機器の電源プラグを接続することが可能なコンセント部と、
前記電力供給部と前記コンセント部とを接続状態および切断状態にするためのスイッチ部と、
前記受信機本体部を制御する制御部とを備え、
前記制御部は、所定の設定情報に基づいて前記コンセント部に接続された周辺機器に電力を供給する必要があるか否かを判断するとともに、前記周辺機器に電力を供給する必要がないと判断した場合には、前記電力供給部と前記コンセント部とを切断状態にするように前記スイッチ部を制御するように構成されている、放送受信機。
【請求項２】
前記設定情報は、予め定められた前記放送受信機の複数の使用態様毎に設定された、前記電力供給部と前記コンセント部とを接続状態にするか切断状態にするかの情報を含む、請求項１に記載の放送受信機。
【請求項３】
前記周辺機器は、映像信号を出力する外部機器を含み、
前記放送受信機は、表示部を有するとともに、前記外部機器からの映像信号に基づく映像を前記表示部に表示することが可能なテレビジョン装置であり、
前記受信機本体部は、ユーザの選択に応じて前記放送信号に基づく映像信号または前記外部機器からの映像信号のいずれかを前記表示部に送信するように構成されており、
前記設定情報は、前記受信機本体部が前記表示部に送信する映像信号の種類毎に設定された、前記電力供給部と前記コンセント部とを接続状態にするか切断状態にするかの情報を含む、請求項２に記載の放送受信機。
【請求項４】
前記設定情報は、前記制御部への電力の供給を維持したまま前記放送受信機の電源スイッチがオフにされた場合に、前記電力供給部と前記コンセント部とを接続状態にするか切断状態にするかの情報を含む、請求項２または３に記載の放送受信機。
【請求項５】
前記コンセント部は、複数設けられており、
前記スイッチ部は、前記複数のコンセント部にそれぞれ対応するように複数設けられており、
前記設定情報は、前記複数のコンセント部毎に個別に設定されている、請求項１〜４のいずれか１項に記載の放送受信機。
【請求項６】
前記設定情報は、予め定められた前記放送受信機の複数の使用態様毎に設定された、前記電力供給部と前記コンセント部とを接続状態にするか切断状態にするかの情報を含むとともに、前記コンセント部に前記電源プラグを接続することにより前記電力供給部から電力が供給される周辺機器の使用態様に応じて、ユーザが設定することが可能に構成されている、請求項１〜５のいずれか１項に記載の放送受信機。
【請求項７】
前記周辺機器は、映像信号を出力する外部機器を含み、
前記放送受信機は、表示部を有するとともに、前記外部機器からの映像信号に基づく映像を前記表示部に表示することが可能なテレビジョン装置であり、
前記設定情報は、前記表示部に表示された設定画面においてユーザが確認および設定することが可能に構成されている、請求項６に記載の放送受信機。
【発明の詳細な説明】
【技術分野】
【０００１】
この発明は、放送受信機に関し、特に、放送信号に基づいて映像信号を生成する受信機本体部を備えた放送受信機に関する。
【背景技術】
【０００２】
従来、放送信号に基づいて映像信号を生成するテレビジョン装置、ＤＶＤレコーダ、ＳＴＢ（セットトップボックス）などの放送受信機が知られている。これらの放送受信機には、様々な周辺機器（テレビジョン装置の場合には、たとえば、スピーカ、ＤＶＤプレーヤ、ゲーム機など）が接続される。これらの周辺機器をテレビジョン装置に接続して用いる場合、通常、単独で使用されることはなく、たとえば、ＤＶＤプレーヤにより再生した映像をテレビジョン装置のディスプレイに表示させながら、スピーカにより音を出すなど、テレビジョン装置と合わせて使用される。
【０００３】
上記のように、テレビジョン装置と周辺機器とを用いる場合には、テレビジョン装置およびテレビジョン装置に接続された周辺機器のそれぞれの電源プラグがコンセント（家庭用コンセントおよびテーブルタップのコンセントなど）に接続されることにより、各機器に電源が供給されることが多い。ここで、ユーザは周辺機器の使用を終了した場合に、その周辺機器の電源プラグをその都度コンセントから抜くことはしない場合が多く、周辺機器の電源プラグはコンセントに接続されたままの状態であることが多い。この場合、周辺機器の電源プラグが常にコンセントに接続されているので、周辺機器を使用していない場合であっても周辺機器において待機電力が消費されてしまうという不都合がある。
【０００４】
そこで、上記のような不都合を解消するために、周辺機器の待機電力を削減することが可能なシステムが知られている（たとえば、特許文献１〜３参照）。
【０００５】
上記特許文献１〜３では、待機電力をカットするための装置（上記特許文献１、２および３において、それぞれ、待機電流遮断装置３、待機電力カット器具３０および本体ケース）を用いたシステムが開示されている。上記特許文献１〜３では、各周辺機器の電源プラグをこれらの装置を介してコンセントに接続している。上記特許文献１〜３では、待機電力をカットするための装置において、周辺機器が待機状態か否かを判断するとともに、周辺機器が待機状態であると判断した場合には、その周辺機器への電力の供給を切断することが可能である。これにより、コンセントとの接続が切断された周辺機器には電力が供給されないので、その周辺機器の待機電力が削減される。
【０００６】
また、所定の制御信号に基づいて、電気機器の電源のオン／オフを自動的に切り替えることが可能なシステムも知られている（たとえば、特許文献４参照）。
【０００７】
上記特許文献４では、複数の電気機器とコンセントとの間に配置され、電気機器とコンセントとを自動的に接続状態または切断状態にすることが可能な電源制御装置が開示されている。この電源制御装置は待機電力を削減するための装置ではないが、この電源制御装置を周辺機器とコンセントとの間に配置した場合には、周辺機器の待機電力を削減するように用いることは可能と考えられる。
【先行技術文献】
【特許文献】
【０００８】
【特許文献１】特開２００６−１１５５７７号公報
【特許文献２】特開２００４−１７３３４６号公報
【特許文献３】特開２００４−１５３８８５号公報
【特許文献４】特開２００４−２８０３００号公報
【発明の概要】
【発明が解決しようとする課題】
【０００９】
しかしながら、上記特許文献１〜３では、周辺機器の電源プラグとコンセントとの間に待機電力をカットするための装置を別途配置して接続する必要があるという問題点がある。
【００１０】
また、上記特許文献４でも、周辺機器の電源プラグとコンセントとの間に電源制御装置を別途配置して接続する必要があるという問題点がある。
【００１１】
この発明は、上記のような課題を解決するためになされたものであり、この発明の１つの目的は、待機電力をカットするための装置を別途設けることなく、待機電力に起因する消費電力の増加を抑制することが可能な放送受信機を提供することである。
【課題を解決するための手段および発明の効果】
【００１２】
この発明の一の局面による放送受信機は、放送信号受信部により受信した放送信号に基づいて映像信号を生成する受信機本体部と、受信機本体部に電力を供給する電力供給部と、電力供給部に接続され、電力供給部から周辺機器に電力を供給するために周辺機器の電源プラグを接続することが可能なコンセント部と、電力供給部とコンセント部とを接続状態および切断状態にするためのスイッチ部と、受信機本体部を制御する制御部とを備え、制御部は、所定の設定情報に基づいてコンセント部に接続された周辺機器に電力を供給する必要があるか否かを判断するとともに、周辺機器に電力を供給する必要がないと判断した場合には、電力供給部とコンセント部とを切断状態にするようにスイッチ部を制御するように構成されている。
【００１３】
この一の局面による放送受信機では、上記のように、電力供給部から周辺機器に電力を供給するために周辺機器の電源プラグを接続することが可能なコンセント部を設けることによって、放送受信機から周辺機器に電力を供給することができる。通常、放送信号に基づいて映像信号を生成する放送受信機の電源プラグは家庭用コンセントなどに接続されたままで使用されることにより常に電力が供給されている場合が多いので、放送受信機の電力供給部には常に家庭用コンセントなどから電力が供給されている。このため、放送受信機に設けたコンセント部を家庭用コンセントなどの替わりに周辺機器の電源として用いることができる。
【００１４】
このように放送受信機を周辺機器の電源として用いる場合に、所定の設定情報に基づいて、周辺機器に電力を供給する必要がないと判断した場合には、電力供給部とコンセント部とを切断状態にするようにスイッチ部を制御することによって、周辺機器を使用していない場合（周辺機器に電力を供給する必要がない場合）には、周辺機器の電源プラグをコンセント部に接続したままであっても自動的にその周辺機器への電力の供給を切断することができる。これにより、周辺機器を使用していないのにも拘わらず周辺機器の待機電力が消費されてしまうことを抑制することができるので、待機電力に起因する消費電力の増加を抑制することができる。
【００１５】
また、放送受信機にコンセント部およびスイッチ部を設け、制御部によりスイッチ部を制御することによって、放送受信機の制御部による制御によって放送受信機の周辺機器の待機電力を削減することができるので、待機電力をカットするための装置を放送受信機の他に別途設ける必要がない。
【００１６】
上記一の局面による放送受信機において、好ましくは、設定情報は、予め定められた放送受信機の複数の使用態様毎に設定された、電力供給部とコンセント部とを接続状態にするか切断状態にするかの情報を含む。このように構成すれば、放送受信機の複数の使用態様のそれぞれに応じて、電力供給部とコンセント部とを接続または切断状態にすることができる。これにより、放送受信機の使用態様が周辺機器を使用しない使用態様になった場合に電力供給部とコンセント部とを切断状態にするように設定情報を設定しておくことによって、放送受信機が周辺機器を使用しない使用態様になった場合には、周辺機器の電源プラグをコンセント部に接続したままであっても、自動的にその周辺機器への電力の供給を切断状態にすることができる。また、放送受信機の使用態様が周辺機器を使用する使用態様になった場合に電力供給部とコンセント部とを接続状態にするように設定情報を設定しておくことによって、放送受信機が周辺機器を使用する使用態様になった場合には、自動的にその周辺機器への電力の供給を開始することができる。また、放送受信機の使用態様に基づいて電力供給部とコンセント部との接続状態／切断状態を切り替えることができるので、周辺機器が待機状態であるか否かを判断する検出手段を別途設ける必要がない。
【００１７】
この場合、好ましくは、周辺機器は、映像信号を出力する外部機器を含み、放送受信機は、表示部を有するとともに、外部機器からの映像信号に基づく映像を表示部に表示することが可能なテレビジョン装置であり、受信機本体部は、ユーザの選択に応じて放送信号に基づく映像信号または外部機器からの映像信号のいずれかを表示部に送信するように構成されており、設定情報は、受信機本体部が表示部に送信する映像信号の種類毎に設定された、電力供給部とコンセント部とを接続状態にするか切断状態にするかの情報を含む。このように構成すれば、複数の入力モード（たとえば、地上波放送、ＢＳ放送、ＶＩＤＥＯ、ＨＤＭＩなど）のうち、所定の入力モードの視聴には使用されない周辺機器については、その所定の入力モードが選択されている場合に電力供給部とコンセント部とを切断状態にするように設定情報を設定しておくことにより、テレビジョン装置がその周辺機器を使用しない使用態様にある場合（その周辺機器を使用しない入力モードが選択されている場合）には、その周辺機器の電源プラグをコンセント部に接続したままであっても自動的にその周辺機器への電力の供給を切断することができる。また、その所定の入力モード以外の入力モードが選択されている場合に電力供給部とコンセント部とを接続状態にするように設定情報を設定しておくことにより、テレビジョン装置がその周辺機器を使用する使用態様にある場合（その周辺機器を使用する入力モードが選択されている場合）には、自動的にその周辺機器への電力の供給を開始することができる。
【００１８】
上記設定情報が放送受信機の使用態様毎に設定された構成において、好ましくは、設定情報は、制御部への電力の供給を維持したまま放送受信機の電源がオフにされた場合に、電力供給部とコンセント部とを接続状態にするか切断状態にするかの情報を含む。このように構成すれば、放送受信機の電源をオフにした場合に電力供給部とコンセント部とを切断状態にするように設定情報を設定しておくことにより、放送受信機の電源をオフにした場合に自動的に周辺機器への電力の供給を切断することができるので、周辺機器の電源プラグをコンセント部に接続したままであっても、周辺機器の待機電力を削減することができる。また、放送受信機の電源がオフの状態でも単独で使用する可能性のある周辺機器の電源プラグを放送受信機のコンセント部に接続する場合には、放送受信機の電源をオフにしても電力供給部とコンセント部とを接続したままとなるように設定情報を設定しておくことにより、放送受信機の電源をオフにした場合にも、その周辺機器を単独で使用することができる。
【００１９】
上記一の局面による放送受信機において、好ましくは、コンセント部は、複数設けられており、スイッチ部は、複数のコンセント部にそれぞれ対応するように複数設けられており、設定情報は、複数のコンセント部毎に個別に設定されている。このように構成すれば、異なる種類の周辺機器を複数のコンセント部のそれぞれに接続した場合にも、複数のコンセント部毎に個別に設定された設定情報に基づいて、それぞれの周辺機器に応じて電力供給部とコンセント部との接続状態および切断状態を切り替えることができる。
【００２０】
上記一の局面による放送受信機において、好ましくは、設定情報は、予め定められた放送受信機の複数の使用態様毎に設定された、電力供給部とコンセント部とを接続状態にするか切断状態にするかの情報を含むとともに、コンセント部に電源プラグを接続することにより電力供給部から電力が供給される周辺機器の使用態様に応じて、ユーザが設定することが可能に構成されている。このように構成すれば、コンセント部に接続する周辺機器を入れ替える場合にも、入れ替え後の周辺機器の使用態様に合うようにユーザが設定情報を設定し直すことができる。
【００２１】
この場合、好ましくは、周辺機器は、映像信号を出力する外部機器を含み、放送受信機は、表示部を有するとともに、外部機器からの映像信号に基づく映像を表示部に表示することが可能なテレビジョン装置であり、設定情報は、表示部に表示された設定画面においてユーザが確認および設定することが可能に構成されている。このように構成すれば、ユーザはテレビジョン装置の表示部に表示された設定画面において、容易に設定情報を確認および設定することができる。
【図面の簡単な説明】
【００２２】
【図１】本発明の第１実施形態によるテレビジョン装置を示す正面図である。
【図２】本発明の第１実施形態によるテレビジョン装置を示す背面図である。
【図３】本発明の第１実施形態によるテレビジョン装置の端子部を示す拡大背面図である。
【図４】本発明の第１実施形態によるテレビジョン装置の構成（外部スピーカおよびＤＶＤプレーヤを接続した状態）を示すブロック図である。
【図５】本発明の第１実施形態によるテレビジョン装置の図４に示したように周辺機器を接続した場合のエココンセント設定画面を示す図である。
【図６】本発明の第１実施形態によるテレビジョン装置の構成（ブースタおよびＤＶＤプレーヤを接続した状態）を示すブロック図である。
【図７】本発明の第１実施形態によるテレビジョン装置の図６に示したように周辺機器を接続した場合のエココンセント設定画面を示す図である。
【図８】本発明の第１実施形態によるテレビジョン装置の入力モード切り替え時の周辺機器への電源供給制御（スイッチ切替処理）を説明するためのフローチャートである。
【図９】本発明の第１実施形態によるテレビジョン装置の電源オフ時の周辺機器への電源供給制御（スイッチ切替処理）を説明するためのフローチャートである。
【図１０】本発明の第２実施形態によるＤＶＤレコーダの構成を示すブロック図である。
【発明を実施するための形態】
【００２３】
以下、本発明を具体化した実施形態を図面に基づいて説明する。
【００２４】
（第１実施形態）
まず、図１〜図７を参照して、本発明の第１実施形態によるテレビジョン装置１の構成について説明する。なお、第１実施形態では、本発明の「放送受信機」の一例であるテレビジョン装置１に本発明を適用した場合について説明する。
【００２５】
図１〜図４に示すように、テレビジョン装置１は、テレビジョン放送に基づいて生成した映像信号による映像、または、外部機器からの映像信号による映像を表示部２に表示する装置である。表示部２は、ＬＣＤ（Ｌｉｑｕｉｄ  Ｃｒｙｓｔａｌ  Ｄｉｓｐｌａｙ）からなる。
【００２６】
図４に示すように、テレビジョン装置１は、テレビアンテナ２０を介して地上波放送およびＢＳ放送などのアナログまたはデジタル放送に対応したテレビジョン放送を受信するチューナ３と、チューナ３から出力された放送信号をデジタルデータに復調するデモジュレータ４と、デモジュレータ４からの信号を映像信号に変換するデコーダ５と、デコーダ５からの映像信号を表示部２に合わせて出力する機能を有するスケーラ６と、スケーラ６から出力された映像信号に基づいて映像を表示する表示部２と、テレビジョン装置１の各部を制御する制御部７とを備えている。制御部７は、ＣＰＵ７ａ、ＲＯＭ７ｂ、ＲＡＭ７ｃおよびメモリ７ｄなどからなり、ＲＯＭ７ｂなどに記憶されたプログラムに基づいて、テレビジョン装置１の各部の動作制御を行う。メモリ７ｄは、データを書き換え可能なＥＥＰＲＯＭなどの不揮発性の記憶装置であり、メモリ７ｄには、各種の設定情報が記憶されている。制御部７は、メモリ７ｄの設定情報に基づいても、テレビジョン装置１の各部の動作制御を行う。なお、チューナ３は、本発明の「放送信号受信部」の一例である。また、チューナ３、デモジュレータ４、デコーダ５およびスケーラ６などから、本発明の「受信機本体部」が構成されている。
【００２７】
また、図２に示すように、テレビジョン装置１の裏面側には、周辺機器３０（図４参照）を接続するための複数の端子（ビデオ端子８ａ、コンポーネント端子８ｂ、ＨＤＭＩ端子８ｃなど）からなる端子部８が設けられており、端子部８を介してテレビジョン装置１に様々な周辺機器３０を接続することが可能である。たとえば、図４に示すように、テレビジョン装置１に外部スピーカ３１を接続することにより、テレビジョン装置１からの音声出力を外部スピーカ３１により再生することが可能である。また、ＤＶＤに記憶された映像信号を出力するＤＶＤプレーヤ３２をテレビジョン装置１に接続することにより、ＤＶＤプレーヤ３２からの映像信号による映像をテレビジョン装置１の表示部２において再生することが可能である。また、アンテナ２０によって受信される電波が微弱な場合には、ブースタ３３によって放送信号が増幅される。なお、外部スピーカ３１およびブースタ３３は、本発明の「周辺機器」の一例であり、ＤＶＤプレーヤ３２は、本発明の「周辺機器」および「外部機器」の一例である。
【００２８】
テレビジョン装置１では、地上波放送による映像信号、ＢＳ放送による映像信号、または外部機器のいずれかからの映像信号のいずれの映像を表示部２に表示させるかをユーザが選択することが可能である。具体的には、第１実施形態では、ユーザは所定の操作を行うことにより、地上波放送、ＢＳ放送、ＶＩＤＥＯ１、ＣＯＭＰＯＮＥＮＴ１、ＣＯＭＰＯＮＥＮＴ２、ＨＤＭＩ１およびＨＤＭＩ２のいずれかの入力モードを選択することが可能である。地上波放送およびＢＳ放送を選択した場合には、それぞれ、表示部２に地上波放送に対応する映像およびＢＳ放送に対応する映像が表示される。また、ＶＩＤＥＯ１を選択した場合には、端子部８においてＶＩＤＥＯ１に対応する端子に外部機器（ＤＶＤプレーヤ３２など）が接続されており、その外部機器からの映像信号がテレビジョン装置１に入力されている場合には、その外部機器からの映像信号に基づく映像が表示部２に表示される。その他の入力モードを選択した場合にも、選択した入力モードに対応する端子に外部機器が接続されている場合には、その外部機器からの映像信号に基づく映像が表示部２に表示される。
【００２９】
また、テレビジョン装置１は、電源プラグ９を家庭用コンセント４０に接続することにより、電力供給部１０を介して、表示部２、チューナ３、デモジュレータ４、デコーダ５、スケーラ６および制御部７などの各部に電源を供給するように構成されている。テレビジョン装置１は、電源スイッチ（図示せず）またはリモコン（図示せず）などを操作することにより電源（副電源）のオン／オフを切り替えることが可能である。電源がオンの時には、表示部２、チューナ３、デモジュレータ４、デコーダ５、スケーラ６および制御部７などの各部に電源が供給される。電源がオフの時には、表示部２、チューナ３、デモジュレータ４、デコーダ５、スケーラ６などには電源が供給されず、制御部７に電源が供給される。電源をオフにした場合でも制御部７に電源が供給される（制御部７への電力の供給が維持される）ことにより、制御部７の一部の機能（時計機能など）は存続する。
【００３０】
ここで、第１実施形態では、図２および図３に示すように、テレビジョン装置１には、２つのコンセント（第１コンセント１０ａおよび第２コンセント１０ｂ）が一体的に設けられている。第１コンセント１０ａおよび第２コンセント１０ｂは、端子部８に配置されている。この第１コンセント１０ａおよび第２コンセント１０ｂに周辺機器の電源プラグを接続することにより、テレビジョン装置１から周辺機器に電源を供給することが可能である。図４に示した例では、外部スピーカ３１の電源プラグ３１ａおよびＤＶＤプレーヤ３２の電源プラグ３２ａがそれぞれ第１コンセント１０ａおよび第２コンセント１０ｂに接続されている。また、ブースタ３３の電源プラグ３３ａは、家庭用コンセント４０に接続されている。なお、第１コンセント１０ａおよび第２コンセント１０ｂは、本発明の「コンセント部」の一例である。
【００３１】
第１コンセント１０ａおよび第２コンセント１０ｂは、それぞれが電力供給部１０に接続されている。電力供給部１０には、電力供給部１０と第１コンセント１０ａおよび第２コンセント１０ｂのそれぞれとの接続および切断を切り替える２つのスイッチ（第１スイッチ１０ｃおよび第２スイッチ１０ｄ）が設けられている。第１スイッチ１０ｃがオンの場合には、第１コンセント１０ａと電力供給部１０とが接続されることにより、第１コンセント１０ａに接続された周辺機器３０（外部スピーカ３１）に電力供給部１０を介して電源が供給される。また、第１スイッチ１０ｃがオフの場合には、第１コンセント１０ａと電力供給部１０とが切断されることにより、周辺機器３０の電源プラグ３１ａが第１コンセント１０ａに接続されている場合にも、その周辺機器３０（外部スピーカ３１）に電源は供給されない。第２スイッチ１０ｄについても同様である。なお、第１スイッチ１０ｃおよび第２スイッチ１０ｄは、本発明の「スイッチ部」の一例である。
【００３２】
第１スイッチ１０ｃおよび第２スイッチ１０ｄは、制御部７によりオン／オフが切り替えられるように構成されている。具体的には、制御部７は、メモリ７ｄに記憶されたエココンセント設定情報（図５参照）に基づいて、第１スイッチ１０ｃおよび第２スイッチ１０ｄのオン／オフの切り替えを行うように構成されている。このエココンセント設定情報は、テレビジョン装置１のある使用態様において第１スイッチ１０ｃおよび第２スイッチ１０ｄをオンするかオフするかの情報が、予め定められた使用態様毎に、かつ、第１スイッチ１０ｃおよび第２スイッチ１０ｄに個別に設定されている。使用態様の一例としては、たとえば、テレビジョン装置１により地上波放送を視聴している状況、ＢＳ放送を視聴している状況、または、ＤＶＤプレーヤ３２などの外部機器によるコンテンツを視聴している状況などの、ユーザによりある入力モードが選択されて、選択された入力モードに対応する映像信号による映像が表示部２に表示されている状況が含まれる。また、使用態様の一例として、テレビジョン装置１の電源がオンになっている状況または電源がオフになっている状況も含まれる。すなわち、制御部７は、テレビジョン装置１の電岸がオンになっているかオフになっているか、および、テレビジョン装置１の電源がオンになっている場合には、地上波放送、ＢＳ放送、外部機器からの入力信号などのいずれの種類の映像を視聴しているのか（いずれの入力モードが選択されているのか）によって、第１スイッチ１０ｃおよび第２スイッチ１０ｄのオン／オフを自動的に切り替えるように構成されている。
【００３３】
また、エココンセント設定情報は、ユーザが変更することが可能に構成されている。エココンセント設定情報の確認および変更は、ユーザの操作により表示されるエココンセント設定画面２ａにおいて行うことが可能である。以下に、エココンセント設定画面２ａの詳細について説明する。
【００３４】
図５に示すように、エココンセント設定画面２ａにおいては、テレビジョン装置１において視聴している内容（使用態様）に応じて、第１コンセント１０ａおよび第２コンセント１０ｂのそれぞれと電力供給部１０とを接続する第１スイッチ１０ｃおよび第２スイッチ１０ｄをオンにするかオフにするかのエココンセント設定情報を変更することが可能である。なお、第１実施形態では、テレビジョン装置１の電源がオフの場合には、第１スイッチ１０ｃおよび第２スイッチ１０ｄを両方オフにするように固定的に設定されており、この設定はユーザが変更することができない。
【００３５】
図５に示すエココンセント設定画面２ａでは、図４に示すように、第１コンセント１０ａおよび第２コンセント１０ｂにそれぞれ外部スピーカ３１の電源プラグ３１ａおよびＤＶＤプレーヤ３２の電源プラグ３２ａが接続されている場合の設定情報の設定例を示している。外部スピーカ３１が接続された第１コンセント１０ａの設定情報は、全ての設定がオンになっている。すなわち、地上波放送を視聴する場合、ＢＳ放送を視聴する場合、外部機器からの映像を視聴する場合などの全ての場合に、外部スピーカ３１により音声を出力する必要があるので、使用態様に拘わらず外部スピーカ３１への電源の供給が行われるように設定されている。また、ＤＶＤプレーヤ３２が接続された第２コンセント１０ｂの設定情報は、「ＣＯＭＰＯＮＥＮＴ１」のみがオンとなっている。すなわち、ＤＶＤプレーヤ３２の内容を視聴できるのはユーザが「ＣＯＭＰＯＮＥＮＴ１」を選択した場合のみであり、他の入力モード（「地上波放送」、「ＶＩＤＥＯ１」、「ＨＤＭＩ１」など）を選択している場合には、ＤＶＤプレーヤ３２に電源を供給する必要がない。このため、ＤＶＤプレーヤ３２を視聴するためにユーザが「ＣＯＭＰＯＮＥＮＴ１」を選択した場合にのみ、第２スイッチ１０ｄがオンになるとともに第２コンセント１０ｂからＤＶＤプレーヤ３２に電源が供給され、他の入力モードが選択されている場合にはＤＶＤプレーヤ３２に電源が供給されないように設定されている。
【００３６】
また、図６に示すように、第１コンセント１０ａに外部スピーカ３１の電源プラグ３１ａ（図４参照）に替えてブースタ３３の電源プラグ３３ａを接続した場合には、図７に示すように、地上波放送を視聴している場合にのみ第１コンセント１０ａからブースタ３３に電源が供給され、他の入力モード（「ＶＩＤＥＯ１」、「ＣＯＭＰＯＮＥＮＴ１」、「ＨＤＭＩ１」など）を選択している場合には、第１コンセント１０ａからブースタ３３に電源が供給されないようにユーザがエココンセント設定情報を変更することが可能である。ブースタ３３は地上波放送の信号が弱い場合にその信号を増幅するための装置であるので、地上波放送を視聴する場合以外にはその機能を必要としない。
【００３７】
次に、図８および図９を参照して、本発明の第１実施形態によるテレビジョン装置１の周辺機器への電源供給制御（スイッチ切替処理）について説明する。
【００３８】
まず、リモコン（図示せず）などの操作によってユーザが任意の入力モード（地上波放送、ＢＳ放送、ＶＩＤＥＯ１、ＣＯＭＰＯＮＥＮＴ１など）を選択する。また、制御部７は、選択された入力モードの映像を表示部２に表示させる。
【００３９】
また、図８のステップＳ１において、制御部７は、入力モードの選択を受け付けたか否かを判断する。入力モードの選択を受け付けない場合には、この判断が繰り返される。入力モードの選択を受け付けた場合には、ステップＳ２において、エココンセント設定情報のうち、ユーザが選択した入力モードの第１コンセント１０ａの設定情報がオンになっているか否かを判断する。第１コンセント１０ａの設定情報がオンになっていない（オフになっている）場合には、ステップＳ３において、制御部７は、第１コンセント１０ａに対応する第１スイッチ１０ｃをオフ（第１コンセント１０ａの電源をオフ）にする。また、第１コンセント１０ａの設定情報がオンになっている場合には、ステップＳ４において、制御部７は、第１コンセント１０ａに対応する第１スイッチ１０ｃをオン（第１コンセント１０ａの電源をオン）にする。
【００４０】
次に、ステップＳ５において、制御部７は、エココンセント設定情報のうち、ユーザが選択した入力モードの第２コンセント１０ｂの設定情報がオンになっているか否かを判断する。第１コンセント１０ａの設定情報がオンになっていない（オフになっている）場合には、ステップＳ６において、制御部７は、第２コンセント１０ｂに対応する第２スイッチ１０ｄをオフ（第２コンセント１０ｂの電源をオフ）にする。また、第２コンセント１０ｂの設定情報がオンになっている場合には、ステップＳ７において、制御部７は、第２コンセント１０ｂに対応する第２スイッチ１０ｄをオン（第２コンセント１０ｂの電源をオン）にする。
【００４１】
この処理は、ユーザが入力モードを切り替える度に行われる。
【００４２】
また、テレビジョン装置１の電源をオフにする際には、ユーザはリモコン（図示せず）または電源スイッチ（図示せず）などを操作することにより、電源のオフをテレビジョン装置１に指示する。この時、図９のステップＳ１１において、制御部７は、電源オフ指示があったか否かを判断する。電源オフ指示がない場合には、この判断が繰り返される。電源オフ指示があった場合には、ステップＳ１２において、制御部７は、電力供給部１０による表示部２、チューナ３、デモジュレータ４、デコーダ５、スケーラ６などへの電源の供給を停止する。
【００４３】
次に、ステップＳ１３において、制御部７は、第１コンセント１０ａに対応する第１スイッチ１０ｃをオフ（第１コンセント１０ａの電源をオフ）にする。また、ステップＳ１４において、制御部７は、第２コンセント１０ｂに対応する第２スイッチ１０ｄをオフ（第２コンセント１０ｂの電源をオフ）にする。このように第１実施形態では、テレビジョン装置１の電源がオフの場合には、第１コンセント１０ａおよび第２コンセント１０ｂに接続している周辺機器に対する電源の供給は自動的に停止される。
【００４４】
第１実施形態では、上記のように、電力供給部１０から周辺機器に電力を供給するために周辺機器の電源プラグを接続することが可能な第１コンセント１０ａおよび第２コンセント１０ｂを設けることによって、テレビジョン装置１から周辺機器に電力を供給することができる。このようにテレビジョン装置１を周辺機器の電源として用いる場合に、エココンセント設定情報に基づいて、周辺機器に電力を供給する必要がないと判断した場合には、電力供給部１０と第１コンセント１０ａおよび第２コンセント１０ｂとを切断状態にするように第１スイッチ１０ｃおよび第２スイッチ１０ｄを制御することによって、周辺機器を使用していない場合（周辺機器に電力を供給する必要がない場合）には、周辺機器の電源プラグを第１コンセント１０ａおよび第２コンセント１０ｂに接続したままであっても自動的にその周辺機器への電力の供給を切断することができる。これにより、周辺機器を使用していないのにも拘わらず周辺機器の待機電力が消費されてしまうことを抑制することができるので、待機電力に起因する消費電力の増加を抑制することができる。
【００４５】
また、制御部７により第１スイッチ１０ｃおよび第２スイッチ１０ｄを制御することによって、テレビジョン装置１の制御部７による制御によってテレビジョン装置１の周辺機器の待機電力を削減することができるので、待機電力をカットするための装置をテレビジョン装置１の他に別途設ける必要がない。
【００４６】
また、第１実施形態では、上記のように、表示部２に送信する映像信号の種類（入力モード）毎に設定された、電力供給部１０と第１コンセント１０ａおよび第２コンセント１０ｂとを接続状態にするか切断状態にするかの情報を含むエココンセント設定情報に基づいて、制御部７により第１スイッチ１０ｃおよび第２スイッチ１０ｄのオン／オフを制御することによって、複数の入力モード（たとえば、地上波放送、ＢＳ放送、ＶＩＤＥＯ１、ＨＤＭＩ１など）のうち、所定の入力モードの視聴には使用されない周辺機器については、その所定の入力モードが選択されている場合に電力供給部１０と第１コンセント１０ａおよび第２コンセント１０ｂとを切断状態にするように設定情報を設定しておくことにより、テレビジョン装置１がその周辺機器を使用しない使用態様にある場合（その周辺機器を使用しない入力モードが選択されている場合）には、その周辺機器の電源プラグを第１コンセント１０ａおよび第２コンセント１０ｂに接続したままであっても自動的にその周辺機器への電力の供給を切断することができる。また、その所定の入力モード以外の入力モードが選択されている場合に電力供給部１０と第１コンセント１０ａおよび第２コンセント１０ｂとを接続状態にするように設定情報を設定しておくことにより、テレビジョン装置１がその周辺機器を使用する使用態様にある場合（その周辺機器を使用する入力モードが選択されている場合）には、自動的にその周辺機器への電力の供給を開始することができる。
【００４７】
また、第１実施形態では、上記のように、テレビジョン装置１の電源がオフにされた場合に、電力供給部１０と第１コンセント１０ａおよび第２コンセント１０ｂとを切断状態にする情報を含むエココンセント設定情報に基づいて、制御部７により第１スイッチ１０ｃおよび第２スイッチ１０ｄのオン／オフを制御することによって、テレビジョン装置１の電源をオフにした場合に自動的に周辺機器への電力の供給を切断することができるので、周辺機器の電源プラグを第１コンセント１０ａおよび第２コンセント１０ｂに接続したままであっても、周辺機器の待機電力を削減することができる。
【００４８】
また、第１実施形態では、上記のように、第１コンセント１０ａおよび第２コンセント１０ｂのそれぞれに個別に設定情報を設定することによって、異なる種類の周辺機器を第１コンセント１０ａおよび第２コンセント１０ｂのそれぞれに接続した場合にも、第１コンセント１０ａおよび第２コンセント１０ｂ毎に個別に設定された設定情報に基づいて、それぞれの周辺機器に応じて電力供給部１０と第１コンセント１０ａおよび第２コンセント１０ｂとの接続状態または切断状態を切り替えることができる。
【００４９】
また、第１実施形態では、上記のように、第１コンセント１０ａおよび第２コンセント１０ｂに電源プラグを接続することにより電力供給部１０から電力が供給される周辺機器の使用態様に応じて、エココンセント設定情報をユーザが設定することが可能に構成することによって、第１コンセント１０ａおよび第２コンセント１０ｂに接続する周辺機器を入れ替える場合にも、入れ替え後の周辺機器の使用態様に合うようにユーザがエココンセント設定情報を設定し直すことができる。
【００５０】
また、第１実施形態では、上記のように、表示部２に表示されたエココンセント設定画面２ａにおいてユーザがエココンセント設定情報を確認および設定することが可能に構成することによって、ユーザはテレビジョン装置１の表示部２に表示されたエココンセント設定画面２ａにおいて、容易にエココンセント設定情報を確認および設定することができる。
【００５１】
（第２実施形態）
次に、図１０を参照して、本発明の第２実施形態によるＤＶＤレコーダ１００の構成について説明する。なお、第２実施形態では、上記第１実施形態と異なり、本発明の「放送受信機」の一例であるＤＶＤレコーダ１００に本発明を適用した場合について説明する。
【００５２】
第２実施形態によるＤＶＤレコーダ１００は、チューナ１０１と、デモジュレータ１０２、デコーダ１０３と、スケーラ１０４と、磁気ディスクドライブ１０５と、光学ディスクドライブ１０６と、ＤＶＤレコーダ１００の各部を制御する制御部１０７とを備えている。チューナ１０１、デモジュレータ１０２、デコーダ１０３およびスケーラ１０４の機能は、上記第１実施形態によるテレビジョン装置１と同様である。なお、チューナ１０１は、本発明の「放送信号受信部」の一例である。また、チューナ１０１、デモジュレータ１０２、デコーダ１０３およびスケーラ１０４などから、本発明の「受信機本体部」が構成されている。
【００５３】
また、ＤＶＤレコーダ１００は、周辺機器を接続するための端子部１０８が設けられており、端子部１０８を介してＤＶＤレコーダ１００に様々な周辺機器を接続することが可能である。たとえば、ＤＶＤレコーダ１００にモニタ装置３４を接続することにより、ＤＶＤレコーダ１００からの映像信号に基づく映像をモニタ装置３４において表示することが可能である。なお、モニタ装置３４は、本発明の「周辺機器」の一例である。
【００５４】
また、ＤＶＤレコーダ１００は、電源プラグ１０９を家庭用コンセント４０に接続することにより、電力供給部１１０を介して、チューナ１０１、デモジュレータ１０２、デコーダ１０３、スケーラ１０４、磁気ディスクドライブ１０５、光学ディスクドライブ１０６、制御部１０７などの各部に電源を供給するように構成されている。ＤＶＤレコーダ１００には、電源スイッチ（図示せず）またはリモコン（図示せず）などを操作することにより電源のオン／オフを切り替えることが可能である。電源がオンの時には、チューナ１０１、デモジュレータ１０２、デコーダ１０３、スケーラ１０４、磁気ディスクドライブ１０５、光学ディスクドライブ１０６、制御部１０７などの各部に電源が供給される。電源がオフの時には、チューナ１０１、デモジュレータ１０２、デコーダ１０３、スケーラ１０４、磁気ディスクドライブ１０５、光学ディスクドライブ１０６などには電源が供給されず、制御部１０７にのみ電源が供給される。
【００５５】
ここで、第２実施形態では、上記第１実施形態と同様に、ＤＶＤレコーダ１００には、第１コンセント１１０ａ、第２コンセント１１０ｂ、第１スイッチ１１０ｃおよび第２スイッチ１１０ｄが設けられている。第１コンセント１１０ａおよび第２コンセント１１０ｂに周辺機器の電源プラグを接続することにより、ＤＶＤレコーダ１００から周辺機器に電源を供給することが可能である。図１０に示す例では、第１コンセント１１０ａにブースタ３３の電源プラグ３３ａが接続されており、第２コンセント１１０ｂにモニタ装置３４の電源プラグ３４ａが接続されている。なお、第１コンセント１１０ａおよび第２コンセント１１０ｂは、本発明の「コンセント部」の一例であり、第１スイッチ１１０ｃおよび第２スイッチ１１０ｄは、本発明の「スイッチ部」の一例である。
【００５６】
制御部１０７は、メモリ（図示せず）に記憶されたエココンセント設定情報に基づいて、第１スイッチ１１０ｃおよび第２スイッチ１１０ｄのオン／オフの切り替えを行うように構成されている。このエココンセント設定情報では、第１スイッチ１１０ｃおよび第２スイッチ１１０ｄをオンするかオフするかの情報が予め定められた使用態様毎に、かつ、第１スイッチ１１０ｃおよび第２スイッチ１１０ｄ毎に個別に設定されている。使用態様の一例としては、たとえば、ＤＶＤレコーダ１００から地上波放送による映像信号をモニタ装置３４などに送信している状況、ＢＳ放送による映像信号をモニタ装置３４などに送信している状況、磁気ディスクドライブ１０５からの映像信号をモニタ装置３４などに送信している状況、または、光学ディスクドライブ１０６からの映像信号をモニタ装置３４などに送信している状況などが含まれる。また、使用態様の一例として、ＤＶＤレコーダ１００の電源がオンになっている状況または電源がオフになっている状況も含まれる。すなわち、制御部１０７は、ＤＶＤレコーダ１００の電源がオンになっているかオフになっているか、および、ＤＶＤレコーダ１００の電源がオンになっている場合には、地上波放送、ＢＳ放送、磁気ディスクドライブ１０５からの映像、光学ディスクドライブ１０６からの映像などのいずれの映像をモニタ装置３４などに送信しているのかによって、第１スイッチ１１０ｃおよび第２スイッチ１１０ｄのオン／オフを自動的に切り替えるように構成されている。
【００５７】
第２実施形態では、ブースタ３３が接続された第１コンセント１１０ａに対応する第１スイッチ１１０ｃは、地上波放送による映像信号を送信している場合や、地上波放送による映像信号を録画している場合にオンになり、地上波放送以外の映像信号を送信している場合にはオフになるようにエココンセント設定情報が設定されている。これにより、ブースタ３３の機能を使用する必要のある場合のみブースタ３３に電力が供給され、ブースタ３３の機能を使用する必要のない場合にはブースタ３３への電力の供給が切断される。また、モニタ装置３４が接続された第２コンセント１１０ｂに対応する第２スイッチ１１０ｄは、映像信号をモニタ装置３４に送信している場合にはオンになり、映像信号を送信していない場合（録画のみ行っている場合など）にはオフになるようにエココンセント設定情報が設定されている。これにより、モニタ装置３４の機能（映像表示機能）を使用する必要のある場合にはモニタ装置３４に電力が供給され、モニタ装置３４の機能を使用する必要のない場合にはモニタ装置３４への電力の供給が切断される。
【００５８】
また、ＤＶＤレコーダ１００の電源をオフにした場合には、上記第１実施形態と同様に、第１コンセント１１０ａに対応する第１スイッチ１１０ｃおよび第２コンセント１１０ｂに対応する第２スイッチ１１０ｄが両方オフになるように設定されている。
【００５９】
第２実施形態の効果は、上記第１実施形態と同様である。
【００６０】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６１】
たとえば、上記第１および第２実施形態では、本発明の「放送受信機」の一例としてのテレビジョン装置１およびＤＶＤレコーダ１００に本発明を適用した例を示したが、本発明はこれに限らず、放送受信機であれば、テレビジョン装置およびＤＶＤレコーダ以外の他の放送受信機にも適用可能である。たとえば、ＳＴＢ（セットトップボックス）やブルーレイディスクレコーダにも適用可能である。
【００６２】
また、上記第１および第２実施形態では、エココンセント設定情報をユーザが変更することが可能に構成された例を示したが、本発明はこれに限らず、予め放送受信機の使用態様毎にスイッチ部をオンするかオフするかの情報を固定的に設定しておいてもよい。
【００６３】
また、上記第１および第２実施形態では、放送受信機に２つのコンセント部（第１コンセントおよび第２コンセント）を設けた例を示したが、本発明はこれに限らず、１つのコンセント部を設けてもよいし、３つ以上のコンセント部を設けてもよい。
【００６４】
また、上記第１および第２実施形態では、放送受信機の電源をオフにした場合に、第１スイッチおよび第２スイッチの両方をオフにする例を示したが、本発明はこれに限らず、放送受信機の電源をオフにした場合でも、スイッチ部をオンにしたままになるようにエココンセント設定情報を設定してもよい。たとえば、テレビジョン装置に設けたコンセント部からＤＶＤレコーダに電力を供給する場合には、テレビジョン装置の電源をオフにした場合でもスイッチ部をオンにしたままになるようにエココンセント設定情報を設定してもよい。ＤＶＤレコーダは自動録画機能などのテレビジョン装置の機能とは独立した機能を有しているので、テレビジョン装置を使用していない場合（電源がオフの場合）でもＤＶＤレコーダの機能（録画機能など）を使用する場合がある。上記のようにエココンセント設定情報を設定することによって、テレビジョン装置の電源をオフにした場合でもＤＶＤレコーダに電力を供給することができるので、ＤＶＤレコーダの録画機能などを使用することができる。
【符号の説明】
【００６５】
１  テレビジョン装置（放送受信機）
２  表示部
３  チューナ（放送信号受信部）
７  制御部
１０  電力供給部
１０ａ  第１コンセント（コンセント部）
１０ｂ  第２コンセント（コンセント部）
１０ｃ  第１スイッチ（スイッチ部）
１０ｄ  第２スイッチ（スイッチ部）
３０  周辺機器
３１  外部スピーカ（周辺機器）
３２  ＤＶＤプレーヤ（周辺機器、外部機器）
３３  ブースタ（周辺機器）
３４  モニタ装置（周辺機器）
１００  ＤＶＤレコーダ（放送受信機）
１０１  チューナ（放送信号受信部）
１０７  制御部
１１０  電力供給部
１１０ａ  第１コンセント（コンセント部）
１１０ｂ  第２コンセント（コンセント部）
１１０ｃ  第１スイッチ（スイッチ部）
１１０ｄ  第２スイッチ（スイッチ部）
【図１】
2010273235.tif 000003
【図２】
2010273235.tif 000004
【図３】
2010273235.tif 000005
【図４】
2010273235.tif 000006
【図５】
2010273235.tif 000007
【図６】
2010273235.tif 000008
【図７】
2010273235.tif 000009
【図８】
2010273235.tif 000010
【図９】
2010273235.tif 000011
【図１０】
2010273235.tif 000012